(57)【特許請求の範囲】
【請求項１】
順次走査信号の各フレーム画像を所定の分割画像であるフィールドに分割して記録再生し、再生した前記分割画像より前記フレーム画像を再構成して順次走査信号として出力する記録再生装置であって、
再生した前記分割画像において、フィールドが欠落している分割画像がある場合、存続するフィールド分の分割画像を連続して出力することにより前記欠落している分割画像を代替する、または、前記存続するフィールド分の分割画像を削除することを交互に行うことにより順次走査信号を再構成して出力し、
再生した前記分割画像において、フィールドが重複している分割画像がある場合、前記重複している分割画像の一方を削除する、または、同一時刻の前記フレーム画像を構成する前記分割画像で前記重複している分割画像を代替することを交互に行うことにより順次走査信号を再構成して出力することを特徴とする記録再生装置。
【請求項２】
フレーム周波数が２４Ｈｚの順次走査信号をフィールド周波数４８Ｈｚの飛び越し走査信号に変換して、フィールド単位で記録再生を行い、再生した２フィールドの前記飛び越し走査信号を合成して１フレームの順次走査信号として出力する記録再生装置であって、
記憶媒体の再生速度が１倍速以上である場合、同一時刻のフレームを構成する２フィールド分の前記飛び越し走査信号の内一方のフィールド分が欠落した場合、存在する方のフィールド分の飛び越し走査信号を連続して出力することにより欠落しているフィールド分の飛び越し走査信号を代替する、または、前記存在する方のフィールド分の飛び越し走査信号を削除することを交互に行うことにより順次走査信号を再構成して出力することを特徴とする記録再生装置。
【請求項３】
フレーム周波数が２４Ｈｚの順次走査信号をフィールド周波数４８Ｈｚの飛び越し走査信号に変換して、フィールド単位で記録再生を行い、再生した２フィールドの飛び越し走査信号を合成して１フレームの順次走査信号として出力する記録再生装置であって、
記録媒体の再生速度が−１倍速から＋１倍速の間の場合、同一フレーム同一フィールドの飛び越し走査信号が重複して再生された場合、一方の飛び越し走査信号を削除する、または、重複しているフィールドを削除して同一のフレームを構成する２フィールドで代替することを交互に行うことにより順次走査信号を再構成して出力することを特徴とする記録再生装置。
【請求項４】
フレーム周波数２４Ｈｚの入力順次走査信号をフィールド周波数４８Ｈｚの飛び越し走査信号に変換し、フィールド単位で記録再生を行い、再生した２フィールド分の飛び越し走査信号を合成して１フレーム分の順次走査信号として出力する記録再生装置であって、
記憶媒体の再生速度を＋１倍速以上とし、さらに磁気ヘッドを搭載したドラムの回転数を記録媒体の再生速度と同一割合で増加させて再生した場合、同一時刻のフレームを構成する２フィールド分の前記飛び越し走査信号の内一方のフィールド分が欠落した場合、存在する方のフィールド分の飛び越し走査信号を連続して出力することにより欠落しているフィールド分の飛び越し走査信号を代替する、または、前記存在する方のフィールド分の飛び越し走査信号を削除することを交互に行うことにより順次走査信号を再構成して出力することを特徴とする記録再生装置。
【請求項５】
フレーム周波数２４Ｈｚの順次走査信号をフィールド周波数４８Ｈｚの飛び越し走査信号に変換し、フィールド単位で記録再生を行い、再生した２フィールドの飛び越し走査信号を合成して１フレーム分の順次走査信号として出力する記録再生装置であって、
記録媒体の再生速度を＋１倍速以下とし、さらに磁気ヘッドを搭載したドラムの回転数を記録媒体の再生速度と同一割合で減少させて再生した場合、同一フレーム同一フィールドの飛び越し走査信号が重複して再生された場合、一方の飛び越し走査信号を削除する、または、重複しているフィールドを削除して同一のフレームを構成する２フィールドで代替することを交互に行うことにより順次走査信号を再構成して出力することを特徴とする記録再生装置。
【発明の詳細な説明】
【０００１】
【発明の属する技術分野】
本発明は、映像信号や音声信号等のデータを記録または再生する装置、例えばディジタルＶＴＲ等に関するものである。
【０００２】
【従来の技術】
近年、新しい放送方式として、ＨＤＴＶ（高精細ＴＶ）方式が開発されており、米国においては既にＤＴＶ放送として放送が開始されている。ＤＴＶ放送は、映像信号をＩＳＯ/ＩＥＣ  １３８１８規格として開示されているＭＰＥＧ２方式で符号化して、例えばDolby Digital方式等の多チャンネルの音声信号とともにディジタル放送として放送するものである。ディジタル放送では、映像信号を圧縮符号化しており、少ない周波数帯域で多くのチャンネルを伝送することができ、高画質化や多チャンネル化が可能となった。しかしながら、米国のＤＴＶ放送においては、走査線数やフレーム周波数の異なる１８方式のフォーマットが規定されており、放送業者毎に自由に選択して放送することが可能であり、これらの多数の放送フォーマットに対応したマルチフォーマット対応型のＶＴＲの開発が求められている。
【０００３】
特に、ＨＤＴＶ方式に対応した取材用機器やスタジオ用機器等は高価であるため、新たにＨＤＴＶ放送用素材を一から作り直すことは、コストや時間の面からも極めて困難である。そこで、映画のフィルムをＴＶ用に変換して放送用素材が作られている。素材に映画のフィルムを用いた場合、映画フィルムは、１秒間のコマ数が２４枚、すなわちフレーム周波数が２４Ｈｚの順次走査信号（以下、２４ｐ信号と称する）であるので、従来のフィールド周波数６０ＨｚのＴＶ信号を記録再生するＶＴＲに記録するためにはフレーム周波数の変換が必要となる。映画をＴＶ信号に変換することは、一般的にはテレシネ変換と呼ばれている。テレシネ変換は、映画フィルムの１コマから、時系列の順に２フールド、３フィールド、２フィールド、３フィールドのフィールド画像を作成することを繰り返すことにより、フレーム周波数を変換する。しかしながら、テレシネ変換された信号を従来のＶＴＲで記録した場合、編集点を元のフィルムのコマの切れ目と一致させる必要があり、編集に制限があるため、映画素材をそのまま、すなわちフレーム周波数２４ＨｚでＶＴＲに記録することが望まれていた。
【０００４】
以上説明した２４ｐ信号を記録するＶＴＲの一例として、ＨＤＴＶ信号を圧縮符号化し、ＳＭＰＴＥ２７９Ｍ規格で開示されているＤ５ ＶＴＲに記録再生する、いわゆるＨＤ−Ｄ５  ＶＴＲを用いて２４ｐ信号を記録する方法について説明する。
【０００５】
図６は、走査線数１１２５本、有効走査線数１０８０本、フレーム周波数が２４Ｈｚの映像信号（以下１０８０／２４ｐ信号と称する）を記録可能なＨＤ−Ｄ５  ＶＴＲの映像信号処理部の構成を示したブロック図である。
【０００６】
以下、有効走査線数１０８０本、フレーム周波数が２４Ｈｚの順次走査方式映像信号を記録再生する方法について説明する。
【０００７】
入力端子１０１０には、１０８０／２４ｐ信号が入力される。入力処理手段１０００において入力信号から同期信号を分離し、同期確立が行われる。次に、変換手段１００１において、順次走査信号から飛び越し走査信号に変換し、擬似的なフィールド周波数４８Ｈｚの飛び越し走査信号（１０８０／４８ｉ信号）に変換する。変換手段１００１における変換方法を図７に示す。図７に示すように、１０８０／２４ｐ信号１フレーム分の画像信号のうち、奇数ラインのデータを１０８０／４８ｉ信号の第一フィールドに、偶数ラインのデータを１０８０／４８ｉ信号の第二フィールドに割り当て、擬似的な飛び越し走査信号に変換する。
【０００８】
次に、圧縮符号化手段１００２において、フィールド単位でＤＣＴ（Discrete Cosine Transform）を用いた圧縮符号化が行われて、データ量が約１／４に圧縮された圧縮符号化データ１０１１を得る。圧縮符号化データ１０１１は、記録処理手段１００３において、誤り訂正符号の付加、同期信号の付加、テープに記録するための変調等の記録処理が行われて記録信号１０１２がテープ１０１６上に記録される。
【０００９】
次に、再生処理手段１００４において、テープ１０１６から再生された再生データ１０１３を復調し、同期信号の検出、誤り訂正等の再生処理が行われて、圧縮符号化データ１０１４が復元される。そして、圧縮復号化手段１００５において圧縮符号化手段１００２と逆の処理が行われ、フィールド周波数４８Ｈｚの飛び越し走査信号が復元される。逆変換手段１００６においては、フィールド周波数４８Ｈｚの疑似飛び越し走査信号２フィールド分を合成して１フレームの画像信号とすることで、フレーム周波数２４Ｈｚの順次走査信号（１０８０／２４ｐ信号）が復元される。そして、出力処理手段１００７において同期信号の付加等が行われて出力端子１０１５から出力される。
【００１０】
【発明が解決しようとする課題】
しかしながら、従来の構成において、＋１倍速以上の可変速再生を行った場合に問題点が発生する。従来の記録再生装置において、ドラム上にＡＴ（オートトラッキング）ヘッドを搭載していれば、＋１倍速以上の可変速再生時にもＡＴヘッドが記録トラック上をトレースするため、ノイズの無い再生が行える。しかしながら、＋１倍速以上の可変速再生時にはヘッドがトレースするトラックは不連続になるため、必ず再生信号データのフィールドが不連続となる。
【００１１】
例えば、ＡＴヘッドがフィールド単位で記録トラックをトレースする場合、図８に示すように、再生信号フィールドに不連続点が発生する。図８はテープの再生速度を＋１倍速より若干早くして再生した場合の再生データのフィールド情報を示している。図８において、再生信号フィールドのｆ１は第一フィールド、ｆ２は第二フィールドの信号が再生されたことを表している。通常は第一フィールド、第二フィールドの順に再生されるが、図８の矢印で示される不連続点においては、第一フィールド、または、第二フィールドが連続して再生される。上記再生信号フィールドに不連続点が発生した場合、逆変換手段１００６においてフィールド信号からフレーム信号に変換し、２４ｐ信号として出力した場合、２４ｐ信号の１フレーム分の画像信号が、記録フレームの異なるフレームの画像信号から構成されてしまうことになる。この場合、テレシネ変換して６０Ｈｚに変換して出力した場合、出力画像の時間軸が逆転することがあるため、画像の動きがおかしくなってしまうという問題点があった。
【００１２】
以下、図９で詳しく説明する。図９において、例えば、ｆ１（２）と表記した（）の中の数字は各再生データの元々の記録フレーム番号を表し、ｆ１（２）は記録フレーム番号２の第一フレームを表している。例えば、図９において、２４Ｈｚ出力フレーム番号が３の再生信号は、記録フレーム番号３のフレームの第二フィールドｆ２（３）と、記録フレーム番号４の第一フィールドｆ１（４）によって構成されている。この場合に、テレシネ変換を行うと、図９において、６０ｉ出力フレーム番号３のフレームと６０ｉ出力フレーム番号４のフレームの境界部においては、記録フレーム番号４の第一フィールドの画像信号と記録フレーム番号３の第二フィールドの画像信号の順に表示される。従ってＴＶモニター上では、フレーム番号４、フレーム番号３の順で表示されるので、時間軸上で画像の表示順が逆転するため、動きの大きい画像では、動きが不自然になってしまうという問題点があった。２４ｐ信号をそのまま表示できるＴＶモニターは一般的ではないので、通常は、２４ｐ信号をテレシネ変換して６０ｉ信号としてＴＶモニターに表示することが一般的であるが、この場合、画像の動きが不自然となり大きな問題点となっていた。
【００１３】
また、テープの再生速度を変化させるとともに、ヘッドを搭載したドラムの回転数をテープの再生速度に応じて変化させて再生を行う（一般的にはプログラム再生と呼ばれている）場合、ヘッドとテープ間の相対速度は変化しないため、ヘッドが記録トラック上をトレースするが、この場合においても出力信号の１フレームが別の記録フレームの画像信号から構成されることがあるため、テレシネ変換して６０ｉ信号とした場合に、可変速再生時と同様に画像の動きが不自然となるという問題点があった。
【００１４】
本発明は上記問題点を解決するもので、可変速再生時あるいはプログラム再生時の出力画像の時間軸が逆転することを防止し、動きの不自然さを解消することが可能なＶＴＲを提供することを目的とする。
【００１５】
【課題を解決するための手段】
上記目的を達成するために、本発明の記録再生装置は、＋１倍速以外で再生した場合に、欠落している分割画像の削除、または、同一時刻のフレーム画像を構成する分割画像で欠落している分割画像の代替を行い、重複している分割画像がある場合、重複している分割画像を削除、または、同一時刻のフレーム画像を構成する分割画像で重複している分割画像の代替を行う。
【００１６】
この構成によって、本発明の記録再生装置は、記録媒体の再生速度が＋１倍速以外の場合においても、出力順次走査信号の各フレーム画像を必ず同一時刻のフィールド画像で構成させることができるので、可変速再生時あるいはプログラム再生時の出力画像の時間軸が逆転することを防止し、動きの不自然さを解消することができる。
【００１７】
【発明の実施の形態】
本発明の第１の発明は、順次走査信号の各フレーム画像を所定の分割画像であるフィールドに分割して記録再生し、再生した前記分割画像より前記フレーム画像を再構成して順次走査信号として出力する記録再生装置であって、再生した前記分割画像において、フィールドが欠落している分割画像がある場合、存続するフィールド分の分割画像を連続して出力することにより前記欠落している分割画像を代替する、または、前記存続するフィールド分の分割画像を削除することを交互に行うことにより順次走査信号を再構成して出力し、再生した前記分割画像において、フィールドが重複している分割画像がある場合、前記重複している分割画像の一方を削除する、または、同一時刻の前記フレーム画像を構成する前記分割画像で前記重複している分割画像を代替することを交互に行うことにより順次走査信号を再構成して出力することを特徴とする記録再生装置であり、出力順次走査信号より欠落または重複している分割画像をなくすことにより、出力順次走査信号の各フレーム画像を必ず同一時刻のフィールド画像で構成させることができる。
【００１８】
また、本発明の第２の発明は、フレーム周波数が２４Ｈｚの順次走査信号をフィールド周波数４８Ｈｚの飛び越し走査信号に変換して、フィールド単位で記録再生を行い、再生した２フィールドの前記飛び越し走査信号を合成して１フレームの順次走査信号として出力する記録再生装置であって、記憶媒体の再生速度が１倍速以上である場合、同一時刻のフレームを構成する２フィールド分の前記飛び越し走査信号の内一方のフィールド分が欠落した場合、存在する方のフィールド分の飛び越し走査信号を連続して出力することにより欠落しているフィールド分の飛び越し走査信号を代替する、または、前記存在する方のフィールド分の飛び越し走査信号を削除することを交互に行うことにより順次走査信号を再構成して出力することを特徴とする記録再生装置であり、出力順次走査信号より欠落した飛び越し走査信号をなくすことにより、１倍速以上の可変速再生時に、出力順次走査信号の各フレーム画像を必ず同一時刻のフィールド画像で構成させることができる。
【００１９】
本発明の第３の発明は、フレーム周波数が２４Ｈｚの順次走査信号をフィールド周波数４８Ｈｚの飛び越し走査信号に変換して、フィールド単位で記録再生を行い、再生した２フィールドの飛び越し走査信号を合成して１フレームの順次走査信号として出力する記録再生装置であって、記録媒体の再生速度が−１倍速から＋１倍速の間の場合、同一フレーム同一フィールドの飛び越し走査信号が重複して再生された場合、一方の飛び越し走査信号を削除する、または、重複しているフィールドを削除して同一のフレームを構成する２フィールドで代替することを交互に行うことにより順次走査信号を再構成して出力することを特徴とする記録再生装置であり、出力順次走査信号より重複する飛び越し走査信号をなくすことにより、−１倍速から１倍速の可変速再生時に、出力順次走査信号の各フレーム画像を必ず同一時刻のフィールド画像で構成させることができる。
【００２０】
本発明の第４の発明は、フレーム周波数２４Ｈｚの入力順次走査信号をフィールド周波数４８Ｈｚの飛び越し走査信号に変換し、フィールド単位で記録再生を行い、再生した２フィールド分の飛び越し走査信号を合成して１フレーム分の順次走査信号として出力する記録再生装置であって、記憶媒体の再生速度を＋１倍速以上とし、さらに磁気ヘッドを搭載したドラムの回転数を記録媒体の再生速度と同一割合で増加させて再生した場合、同一時刻のフレームを構成する２フィールド分の前記飛び越し走査信号の内一方のフィールド分が欠落した場合、存在する方のフィールド分の飛び越し走査信号を連続して出力することにより欠落しているフィールド分の飛び越し走査信号を代替する、または、前記存在する方のフィールド分の飛び越し走査信号を削除することを交互に行うことにより順次走査信号を再構成して出力することを特徴とする記録再生装置であり、出力順次走査信号より欠落した飛び越し走査信号をなくすことにより、＋１倍速以上のプログラム再生時に、出力順次走査信号の各フレーム画像を必ず同一時刻のフィールド画像で構成させることができる。
【００２１】
本発明の第５の発明は、フレーム周波数２４Ｈｚの順次走査信号をフィールド周波数４８Ｈｚの飛び越し走査信号に変換し、フィールド単位で記録再生を行い、再生した２フィールドの飛び越し走査信号を合成して１フレーム分の順次走査信号として出力する記録再生装置であって、記録媒体の再生速度を＋１倍速以下とし、さらに磁気ヘッドを搭載したドラムの回転数を記録媒体の再生速度と同一割合で減少させて再生した場合、同一フレーム同一フィールドの飛び越し走査信号が重複して再生された場合、一方の飛び越し走査信号を削除する、または、重複しているフィールドを削除して同一のフレームを構成する２フィールドで代替することを交互に行うことにより順次走査信号を再構成して出力することを特徴とする記録再生装置であり、出力順次走査信号より、重複する飛び越し走査信号をなくすことにより、＋１倍速以下のプログラム再生時に出力順次走査信号の各フレーム画像を必ず同一時刻のフィールド画像で構成させることができる。
【００２２】
（実施の形態１）
本実施の形態では、特殊再生時で再生速度が＋１倍速以上の再生速度でテープを再生する場合について説明する。
【００２３】
図１は、本発明の記録再生装置の構成を示すブロック図である。
【００２４】
図１において、１は映像データ１７と遅延映像データ１８のいずれかを選択して映像データ１９として出力する選択手段、２は映像データ１７をフィールド単位で遅延させる遅延手段、１０００は入力端子１０より入力された映像信号をシリアルパラレル変換、同期信号の分離などを行い、映像データ１１を出力する入力手段、１００１は順次走査信号の映像データ１１を飛び越し走査信号の映像データ１２へ変換する変換手段、１００２は映像データ１２にフィールド単位でＤＣＴを用いた圧縮符号化を行い圧縮符号化データ１３を出力する圧縮符号化手段、１００３は圧縮符号化データ１３に誤り訂正符号、同期信号の付加、テープに記録するための変調などの記録処理を行い、記録データ１４をテープ１０１６に記録する記録手段、１００４はテープ１０１６より再生した再生データ１５を復調し、再生処理して復調再生データ１６を出力する再生処理手段、１００５は復調再生データ１６に圧縮符号化手段１００２と逆の処理を行い、映像データ１７を出力する圧縮復号化手段、１００６は飛び越し走査信号の映像データ１９を順次走査信号の映像データ２０に変換する逆変換手段、１００７は映像データ２０に同期信号の付加、パラレルシリアル変換を行った映像信号を出力端子２２に出力する出力手段である。
【００２５】
本実施の形態では、走査線数１１２５本、有効走査線数１０８０本、フレーム周波数２４Ｈｚの映像信号（１０８０/２４ｐ信号）を記録可能なディジタルＶＴＲを例にとって説明する。
【００２６】
以下、図１を用いて本発明の記録再生装置を詳細に説明する。
【００２７】
入力端子１０に、ＳＭＰＴＥ（Society of Motion Picture and Television Engineers）２７４Ｍ規格等で開示されている周波数約１．５ＧＨｚのシリアルディジタル信号として１０８０／２４ｐ信号が入力され、入力手段１０００において、シリアルパラレル変換および同期信号の分離等の入力処理が行われる。入力手段１０００から出力される映像データ１１は、変換手段１００１において、従来の技術で説明した方法と同一の方法を用いて、順次走査信号から飛び越し走査信号へ変換される。すなわち、奇数ラインのデータを第一フィールドに、偶数ラインのデータを第二フィールドに割り当て、フレーム周波数２４Ｈｚの順次走査信号からフィールド周波数４８Ｈｚの飛び越し走査信号に変換する。飛び越し走査信号に変換された映像データ１２は、圧縮符号化手段１００２においてフィールド周波数４８Ｈｚのフィールド単位でＤＣＴを用いた圧縮符号化が行われて、データ量が約１／４に圧縮された圧縮符号化データ１３を得る。圧縮符号化データ１３は、記録処理手段１００３において、誤り訂正符号の付加、同期信号の付加、テープに記録するための変調等の記録処理が行われて記録データ１４がテープ１０１６上に記録される。
【００２８】
次に、再生処理手段１００４において、テープ１０１６から再生された再生データ１５を復調し、再生処理が行われて、復調再生データ１６が復元される。そして、圧縮復号化手段１００５において圧縮符号化手段１００２と逆の処理が行われ映像データ１７が復元される。遅延手段２は、圧縮復号化手段１００５の出力する映像データ１７をフィールド（４８Ｈｚ）単位で１フィールドまたは複数フィールド遅延する。ここで、ドラム上にＡＴヘッドを搭載するとすると、選択手段１は、ＡＴヘッドがトレースする記録トラックのフィールド番号の情報から、圧縮復号化手段１００５の出力する映像データ１７と、遅延手段２においてフィールド単位で遅延された遅延映像データ１８のうち一方を選択して出力する。
【００２９】
以下、選択手段１の動作について詳細に説明する。
【００３０】
まず、通常再生時、すなわち、不連続点がない場合。選択手段１は圧縮復号化手段１００５の出力する映像データ１７を選択して出力する。
【００３１】
次に、特殊再生時で再生速度が正方向に１倍速以上、すなわち＋１倍速以上でテープを再生した場合について説明する。再生速度が＋１倍速以上の場合でもＡＴヘッドを搭載すれば、例えば＋２倍速まで記録トラック上をトレースすることができ、ノイズの無い再生が可能であるが、＋１倍速以上で再生するため、ヘッドがトレースするトラックは不連続となり、再生信号のフィールドが不連続となる。図２は再生速度が＋１倍速より若干早い場合の選択手段１および遅延手段２の動作を説明するタイミングチャートを示す。
【００３２】
図２において、再生信号フィールドのｆ１は第一フィールド、ｆ２は第二フィールドの信号が再生されたことを表している。また、図２において、例えば、ｆ１（２）と表記した（）中の数字は各再生信号の元々の記録フレーム番号を表している。例えば、ｆ１（２）は記録フレーム番号２の第一フィールドを示す。図２に示すように、再生信号フィールドは、通常再生時はｆ１、ｆ２の繰り返しとなるが、再生速度が＋１倍速以上の場合、ｆ１、ｆ１またはｆ２、ｆ２と同じフィールドが連続する場合が発生する。
【００３３】
まず、選択手段１は２４Ｈｚ出力フレーム番号１のフレームにおいて、ＡＴヘッドより、記録フレーム番号１の第一フィールドｆ１（１）を読み出し、続いて第二フィールドｆ１（２）を読み出す情報を得、２４Ｈｚ出力フレーム番号１において、第一フィールド側、第二フィールド側共に、圧縮復号化手段１００５の出力する映像データ１７を選択する。同様に、２４Ｈｚ出力フレーム番号２のフレームにおいて、第一フィールド側、第二フィールド側共に、圧縮復号化手段１００５の出力する映像データ１７、すなわち記録フレーム番号２の第一フィールドｆ１（２）、第二フィールドｆ２（２）を選択する。
【００３４】
次に、選択手段１はＡＴヘッドから、２４Ｈｚ出力フレーム番号３のフレームにおいて、記録フレーム番号３の第二フィールドｆ２（３）の後、記録フレーム番号４のフレームの第一フィールドを読み出す情報を受ける。選択手段１は記録フレーム番号３の第一フィールドｆ１（３）が欠落していることから、第二フィールドｆ２（３）の映像データを、第一フィールドｆ１（３）の映像データで代替する。すなわち、選択手段１は図２の選択手段出力フィールドに示すように、記録フレーム番号３の第二フィールドの映像データｆ２（３）を連続して出力する。この場合、選択手段１は、２４Ｈｚ出力フレーム番号３のフレームにおいて、第一フィールド側は圧縮復号化手段１００５の出力する映像データ１７を選択し、第二フィールド側は、遅延手段２で１フィールド分遅延された記録フレーム番号３の第二フィールドの映像データを選択する。
【００３５】
また、選択手段１はＡＴヘッドからの情報より、２４Ｈｚ出力番号フレーム番号８のフレームにおいて、記録フレーム番号９の第二フィールドｆ２（９）が欠落していることから、第一フィールドｆ１（９）の映像データを第二フィールドｆ２（９）の映像データで代替する。すなわち、選択手段１は同図の選択手段出力フィールドに示すように、ｆ１（９）で示す記録フレーム番号９の第一フィールドの映像データを連続して出力するよう動作する。この場合、選択手段１は、２４Ｈｚ出力フレーム番号９のフレームにおいて、第一フィールド側は圧縮復号化手段１００５の出力する映像データ１７を選択し、第二フィールド側は、遅延手段２で１フィールド分遅延された記録フレーム番号９の第一フィールドの映像データを選択する。
【００３６】
図２に示すように、選択手段１より出力される映像データ１９の１フレーム画像を構成する２フィールド分の画像信号は必ず同一記録フレームの画像信号の組み合わせで構成されている。同一記録フレームの画像信号の組み合わせには、記録フレーム番号で示すフレームを構成している、（第一フィールド、第二フィールド）、（第一フィールド、第一フィールド）、（第二フィールド、第二フィールド）の組み合わせが考えられ、片方のフィールドが欠落している場合には、存在する方のフィールドを連続して出力する。
【００３７】
また、２４Ｈｚ出力フレーム番号６のフレームにおいて、記録フレーム番号６の第一フィールドｆ１（６）は第二フィールドが欠落しているが、図２の選択手段出力フィールドにおいて、＋１倍速以上の再生映像のフレーム数として矛盾が生じないよう削除される。すなわち、記録フレーム番号２において、第一フィールドの画像データを追加した分、記録フレーム６の第二フィールドの画像データを削除する。この場合は、３フレーム毎に欠落していないフィールドによる代替、削除の動作を交互に行って、全体のフレーム数を調整する。
【００３８】
選択手段１の出力する映像データ１９は、逆変換手段１００６において、図２の６０ｉ出力信号に示すように、フィールド周波数４８Ｈｚの飛び越し走査信号からフレーム周波数２４Ｈｚの順次走査信号に変換される。次に、出力手段１００７において同期信号の付加およびパラレルシリアル変換が行われて、周波数約１．５ＧＨｚのシリアルディジタル信号として出力端子２２から出力される。
【００３９】
以上示したように、再生速度が＋１倍速以上の場合において、出力する順次走査信号の各フレーム画像は、必ず記録フレーム番号が同一記録フレームの第一および／または第二フィールドの画像データの組み合わせで構成されており、図２に示すようにテレシネ変換して６０ｉ信号に変換した場合においても、記録フレーム番号の時間軸が入れ替わることが無いため、従来のように画像の時間軸が逆転して画像の動きが不自然になることが防止され、ＴＶモニター上で画像の動きが不自然になるという問題点が発生しない。
【００４０】
なお、本実施の形態では、選択手段１は３フレーム毎に、代替、削除の動作を交互に行ったが、これに限定するものではなく、再生速度に応じて、代替、削除のタイミングは調整される。
【００４１】
（実施の形態２）
本実施の形態では、特殊再生時で再生速度が負方向の１倍速（−１倍速）から、正方向の１倍速（＋１倍速）までの再生速度でテープを再生した場合について説明する。本実施の形態における記録再生装置の構成は実施の形態１と同等であり、選択手段１と遅延手段２の動作が異なるのみであるため、以下選択手段１と遅延手段２の動作についてのみ説明する。
【００４２】
再生速度が−１倍速から＋１倍速の間の場合、ＡＴヘッドがトレースする記録トラックのフィールド番号は必ず連続あるいは同一フィールドの繰り返しとなるため、再生信号のフィールド番号も連続あるいは同一フィールドの繰り返しととなる。図３は再生速度が−１倍速から＋１倍速の間におけるタイムチャートであり、再生速度が約０・８倍速の場合を説明する図である。図３において、再生信号フィールドのｆ１は第一フィールド、ｆ２は第二フィールドの信号が再生されたことを表している。また、図３において、例えば、ｆ１（２）と表記した（）の数字は各再生信号の元々の記録フレーム番号を表している。
【００４３】
図３に示すように、再生速度が−１倍速から＋１倍速の間の場合、再生信号フィールドのｆ１からｆ２への変化、または、ｆ２からｆ１への変化のとき、変化の前後のフィールド番号は必ず連続となる。また０．８倍速の場合、５フィールドに１回、同一フィールドのデータを連続して再生する。ここで、ドラム上にＡＴヘッドを搭載するとすると、選択手段１は、ＡＴヘッドがトレースする記録トラックのフィールド番号の情報から、圧縮復号化手段１００５の出力する映像データ１７と、遅延手段２においてフィールド単位で遅延された遅延映像データ１８のうち一方を選択して出力する。
【００４４】
以下、図３を用いて選択手段１の動作について説明する。
【００４５】
まず、選択手段１は２４Ｈｚ出力フレーム番号１のフレームにおいて、ＡＴヘッドより、記録フレーム番号１の第一フィールドｆ１（１）を読み出し、続いて第二フィールドｆ１（２）を読み出す情報を得る。この時点で、選択手段１は次に読み出されるフレームが同一フィールドの繰り返しであるかどうか分からないので、何も動作しない。次に、選択手段１はＡＴヘッドより、２４Ｈｚ出力フレーム番号２のフレームにおいて、記録フレーム番号２のフレームの第一フィールドｆ１（２）を読み出し、続いて第二フィールドｆ２（２）を読み出す情報を得る。この時点で、選択手段１は次のフレームを構成する映像データが揃っているので、第一フィールド側出力には記録フレーム番号１の第一フィールドの映像データｆ１（１）を、第二フィールド側出力には記録フレーム番号１の第二フィールドの映像データｆ２（１）を出力する。この場合、選択手段１は、遅延手段２で２フィールド分遅延された記録フレーム番号１の第一フィールドｆ１（１）および第二フィールドの映像データｆ２（１）を選択して出力する。
【００４６】
次に、選択手段１はＡＴヘッドより、２４Ｈｚ出力フレーム番号３のフレームにおいて、記録フレーム番号２の第二フィールドｆ２（２）を読み出し、続いて記録フレーム番号３の第一フィールドｆ１（３）を読み出す情報を得る。この時点で、選択手段１は、次の記録フレーム番号２のフレームを構成する映像データが揃っているので、第一フィールド側出力には記録フレーム番号２の第一フィールドの映像データｆ１（２）を、第二フィールド側出力には記録フレーム番号２の第二フィールドの映像データｆ２（２）を出力する。この場合、選択手段１は、遅延手段２で２フィールド分遅延された記録フレーム番号２の第一フィールドｆ１（２）および第二フィールドの映像データｆ２（２）を選択して出力する。
【００４７】
さらに、選択手段１はＡＴヘッドより、２４Ｈｚ出力フレーム番号４のフレームにおいて、記録フレーム番号３の第二フィールドｆ２（３）を読み出し、続いて記録フレーム番号４の第一フィールドｆ１（４）を読み出す情報を得る。この時点で、選択手段１は、記録フレーム番号２の第二フィールドｆ２（２）が重複して存在し、記録フレーム番号３のフレームを構成する映像データが揃っているので、第一フィールド側出力には記録フレーム番号３の第一フィールドの映像データｆ１（３）を、第二フィールド側出力には記録フレーム番号３の第二フィールドの映像データｆ２（３）を出力し、重複して読み出された記録フレーム番号２の第二フィールドｆ２（２）を削除する。この場合、選択手段１は、遅延手段２で１フィールド分遅延された記録フレーム番号２の第一フィールドｆ１（３）および第二フィールドの映像データｆ２（３）を選択して出力する。
【００４８】
また、２４Ｈｚ出力フレーム番号５，６のフレームにおいて、記録フレーム番号４のフレームが連続して出力されているが、これは重複して読み出された記録フレーム番号４の第二フィールドｆ２（４）を削除し、−１倍速から１倍速の再生映像のフレーム数として矛盾が生じないように記録フレーム番号４のフレームを連続して出力する。この場合、２４Ｈｚ出力フレーム番号５，６のフレームにおいて、選択手段１は、遅延手段２でそれぞれ、２フィールド分、４フィールド分遅延された記録フレーム番号４の第一フィールドｆ１（４）および第二フィールドの映像データｆ２（４）を選択して出力する。すなわち、重複して読み出された記録フレーム番号２の第二フィールドｆ２（２）、記録フレーム番号４の第二フィールドｆ２（４）の２フィールド（＝１フレーム）を記録フレーム４の１フレーム分で代替している。この場合、４フレーム毎に、重複している２フィールドを同一フレームを構成する２フィールドで代替し、全体のフレーム数を調整する。
【００４９】
このように、０．８倍速の場合、５フィールドに１回、同一フィールドのデータを連続して再生することから、５フィールドに１回の同一フィールドのデータを出力しないよう遅延手段２による遅延量を可変にしている。
【００５０】
以上示したように遅延手段２における遅延量は可変であり、１フィールド遅延から複数フィールド遅延までの遅延が可能である。選択手段１の出力する映像データ１９は、逆変換手段１００６において順次走査信号に変換され出力手段１００７で出力処理を行った後、出力端子２２から出力される。このとき、出力する順次走査信号の各フレーム画像は必ず同一記録フレーム番号の第一フィールドおよび第二フィールドの画像データで構成されるため、図３に示したように、テレシネ変換を行って６０ｉ信号に変換した場合でも、画像の時間軸が入れ替わることが無いため、ＴＶモニター上で画像の動きが不自然になるという問題点が発生しない。
【００５１】
なお、本実施の形態では０．８倍速の場合について説明したが、これに限定するものではなく、０．８倍速以外の速度で再生する場合にも、遅延量を可変することにより、選択手段１から出力される順次走査信号の各フレーム画像は必ず同一記録フレーム番号の第一フィールドおよび第二フィールドの画像データで構成することができる。
【００５２】
また、本実施の形態では、重複したフィールドを削除した分、全体のフレーム数の調整するために同一フレームを構成する２フィールドで代替するタイミングを４フレーム毎としたが、これに限定するものではなく、代替するタイミングは再生速度に応じて調整する。
【００５３】
（実施の形態３）
本実施の形態では、＋１倍速以上でプログラム再生した場合の処理について説明する。本実施の形態における記録再生装置の構成は実施の形態１と同等であり、選択手段１と遅延手段２の動作が異なるのみであるため、選択手段１と遅延手段２の動作についてのみ説明する。
【００５４】
プログラム再生とは、テープの再生速度を変化させるとともに、ヘッドを搭載したドラムの回転数をテープの再生速度に応じて変化させて再生を行うもので、ヘッドとテープ間の相対速度が変化しないため、ヘッドが記録トラック上を自動的にトレースするものであって、記録時間に対して再生時間を若干変化させることができる。例えば、６０分間記録されたテープを５９分間で再生するといった再生時間の調整が可能となる再生方式である。
【００５５】
以下、プログラム再生で、再生速度を＋１倍速以上とした場合について図４を用いて説明する。
【００５６】
プログラム再生で、＋１倍速以上で再生した場合、ヘッドは記録トラック上を全てトレースするが、再生処理手段１００４において、再生フィールドの一部をスキップする。例えば、プログラム再生時に、テープから１秒間に６２フィールドのデータが再生された場合、再生処理手段１００４において２フィールド分のデータをスキップして、再生処理手段１００４からは１秒間に６０フィールドのデータを出力する。よって、再生フィールドに不連続点が生じる。
【００５７】
図４はプログラム再生において、再生速度を＋１倍速より若干早く再生した場合のタイムチャートである。図４において、再生信号フィールドのｆ１は第一フィールド、ｆ２は第二フィールドの信号が再生されたことを表している。また、図４において、例えば、ｆ１（２）と表記した（）中の数字は各再生信号の元々の記録フレーム番号を表している。
【００５８】
図４に示すように再生信号フィールドは、通常再生時はｆ１、ｆ２の繰り返しとなるが、再生速度が＋１倍速以上の場合、再生信号フィールドが不連続となりｆ１、ｆ１またはｆ２、ｆ２が発生する。遅延手段２は、圧縮復号化手段１００５の出力する映像データ１７をフィールド（４８Ｈｚ）単位で１フィールドまたは複数フィールド遅延する。選択手段１は、圧縮復号化手段１００５の出力する映像データ１７と、遅延手段２においてフィールド単位で遅延された遅延映像データ１８のうち一方を選択して出力する。
【００５９】
図４を用いて選択手段１の動作について説明する。
【００６０】
まず、選択手段１は２４Ｈｚ出力フレーム番号１のフレームにおいて、ＡＴヘッドより、２４Ｈｚ出力フレーム番号１のフレームにおいて、記録フレーム番号１の第一フィールドｆ１（１）を読み出し、続いて第二フィールドｆ１（２）を読み出す情報を得、第一フィールド側、第二フィールド側共に、圧縮復号化手段１００５の出力する映像データ１７を選択する。同様に、２４Ｈｚ出力フレーム番号２のフレームにおいて、第一フィールド側、第二フィールド側共に、圧縮復号化手段１００５の出力する映像データ１７、すなわち記録フレーム番号２の第一フィールドｆ１（２）、第二フィールドｆ２（２）を選択する。
【００６１】
次に、選択手段１はＡＴヘッドからの情報により、２４Ｈｚ出力フレーム番号３のフレームにおいて、記録フレーム番号３の第二フィールドの映像データｆ２（３）が欠落していることより、第一フィールドの映像データｆ１（３）で代替して映像データｆ２（３）として出力する。この場合、選択手段１は、２４Ｈｚ出力フレーム番号３のフレームにおいて、第一フィールド側は圧縮復号化手段１００５の出力する映像データ１７を選択し、第二フィールド側は、遅延手段２で１フィールド分遅延された記録フレーム番号３の第一フィールドの映像データを選択する。
【００６２】
また、２４Ｈｚ出力フレーム番７、８のフレームにおいて、記録フレーム番号８の第一フィールドｆ１（８）が欠落しているが、選択手段１は＋１倍速以上の再生映像のフレーム数として矛盾が生じないよう削除される。すなわち、２４Ｈｚ出力フレーム番号３のフレームにおいて、記録フレーム番号３の第二フィールドの画像データを追加した分、記録フレーム番号８の第二フィールドの画像データを削除する。この場合、８フレーム毎に削除、８フレームにおける３フレーム目で代替の動作が行われて、全体のフレーム数を調整している。
【００６３】
選択手段１の出力する映像データ１９は、逆変換手段１００６において、フィールド周波数４８Ｈｚの飛び越し走査信号からフレーム周波数２４Ｈｚの順次走査信号に変換され、出力手段１００７において同期信号の付加およびパラレルシリアル変換が行われて、周波数約１．５ＧＨｚのシリアルディジタル信号として出力端子２２から出力される。
【００６４】
なお、本実施の形態では、第一フィールドの映像データのみが読み出された場合について説明したが、第二フィールドの映像データのみが読み出された場合には、第二フィールドの映像データを連続して出力することで、必ず同一記録フレームの飛び越し走査信号の組み合わせで、１フレームの順次走査信号が構成することができる。
【００６５】
以上のように、プログラム再生時に再生速度を＋１倍速以上とした場合においても、出力する順次走査信号の各フレーム画像は、必ず記録フレーム番号が同一時刻の第一および／または第二フィールドの画像データの組み合わせで構成されており、図４に示すようにテレシネ変換して６０ｉ信号に変換した場合においても、画像の時間軸が入れ替わることが無いため、ＴＶモニター上で画像の動きが不自然になるという問題点が発生しない。
【００６６】
なお、本実施の形態では、選択手段１は８フレーム毎に削除、８フレームにおける３フレーム目で代替の動作を行ったが、これに限定するものではなく、再生速度に応じて、代替、削除のタイミングは調整される。
【００６７】
（実施の形態４）
本実施の形態では、＋１倍速以下でプログラム再生した場合の処理について説明する。本実施の形態における記録再生装置の構成は実施の形態１と同等であり、選択手段１と遅延手段２の動作が異なるのみであるため、以下選択手段１と遅延手段２の動作についてのみ説明する。
【００６８】
プログラム再生で、＋１倍速以下で再生した場合、ヘッドは記録トラック上を全てトレースするが、再生処理手段１００４において、再生フィールドの一部を重複して出力する。例えば、プログラム再生時に、テープから１秒間に５８フィールドのデータが再生された場合、再生処理手段１００４において２フィールド分のデータを重複して出力し、再生処理手段１００４からは１秒間に６０フィールドのデータを出力する。よって、再生信号フィールドが同一フィールドの繰り返しとなる場合が発生する。
【００６９】
図５はプログラム再生において、再生速度が＋１倍速より若干遅い場合のタイミングチャートである。図５において、再生信号フィールドのｆ１は第一フィールド、ｆ２は第二フィールドの信号が再生されたことを表している。また、図５において、例えば、ｆ１（２）と表記した（）中の数字は各再生信号の元々の記録フレーム番号を表している。図５に示すように、再生信号フィールドは通常再生時はｆ１、ｆ２の繰り返しとなるが、再生速度が＋１倍速以下の場合、再生信号フィールドが同一フィールドが連続する場合があり、ｆ１、ｆ１またはｆ２、ｆ２の場合が発生する。遅延手段２は、圧縮復号化手段１００５の出力する映像データ１７をフィールド（４８Ｈｚ）単位で１フィールドまたは複数フィールド遅延する。選択手段１は、圧縮復号化手段１００５の出力する映像データ１７と、遅延手段２においてフィールド単位で遅延された遅延映像データ１８のうち一方を選択して出力する。
【００７０】
図５を用いて選択手段１の選択方法について説明する。
【００７１】
まず、選択手段１は２４Ｈｚ出力フレーム番号１のフレームにおいて、ＡＴヘッドより、記録フレーム番号１の第一フィールドｆ１（１）を読み出し、続いて第二フィールドｆ１（２）を読み出す情報を得る。この時点で、選択手段１は次に読み出されるフレームが同一フィールドの繰り返しであるかどうか分からないので、何も動作しない。次に、選択手段１はＡＴヘッドより、２４Ｈｚ出力フレーム番号２のフレームにおいて、記録フレーム番号２のフレームの第一フィールドｆ１（２）を読み出し、続いて第二フィールドｆ２（２）を読み出す情報を得る。この時点で、選択手段１は次のフレームを構成する映像データが揃っているので、第一フィールド側出力には記録フレーム番号１の第一フィールドの映像データｆ１（１）を、第二フィールド側出力には記録フレーム番号１の第二フィールドの映像データｆ２（１）を出力する。この場合、選択手段１は、遅延手段２で２フィールド分遅延された記録フレーム番号１の第一フィールドｆ１（１）および第二フィールドの映像データｆ２（１）を選択して出力する。
【００７２】
次に、選択手段１は、ＡＴヘッドより、２４Ｈｚ出力フレーム番号３のフレームにおいて、記録フレーム番号１の第一フィールドｆ１（３）を連続して読み出した情報を得る。この時点で、選択手段１は、次の記録フレーム番号２のフレームを構成する映像データが揃っているので、第一フィールド側出力には記録フレーム番号２の第一フィールドの映像データｆ１（２）を、第二フィールド側出力には記録フレーム番号２の第二フィールドの映像データｆ２（２）を出力する。この場合、選択手段１は、遅延手段２で２フィールド分遅延された記録フレーム番号１の第一フィールドｆ１（２）および第二フィールドの映像データｆ２（２）を選択して出力する。
【００７３】
さらに、選択手段１はＡＴヘッドより、２４Ｈｚ出力フレーム番号４のフレームにおいて、記録フレーム番号３の第二フィールドｆ２（３）を読み出し、続いて記録フレーム番号４の第一フィールドｆ１（４）を読み出す情報を得る。この時点で、選択手段１は、記録フレーム番号３の第一フィールドｆ１（３）が重複して存在することから、再生映像のフレーム数に矛盾が生じないよう、重複して読み出された第一フィールドｆ１（３）を削除し、再度、記録フレーム番号２のフレームを出力する。この場合、選択手段１は、遅延手段２で４フィールド分遅延された記録フレーム番号２の第一フィールドｆ１（２）および第二フィールドの映像データｆ２（２）を選択して出力する。
【００７４】
このように、＋１倍速以下の場合、同一フィールドの映像データを連続して再生することから、再生映像のフレーム数に矛盾が生じないよう、遅延手段２の遅延量を可変にし、重複したフィールドの映像データを削除し、重複する映像データを２フィールドの削除に対して同一フレームを構成する２フィールドで代替する。
【００７５】
選択手段１の出力する映像データ１９は、逆変換手段１００６において、フィールド周波数４８Ｈｚの飛び越し走査信号からフレーム周波数２４Ｈｚの順次走査信号に変換され、出力手段１００７において同期信号の付加およびパラレルシリアル変換が行われて、周波数約１．５ＧＨｚのシリアルディジタル信号として出力端子２２から出力される。遅延手段２における遅延量は可変であり、１フィールド遅延から複数フィールド遅延までの遅延が可能である。
【００７６】
以上のようにプログラム再生時に、再生速度を＋１倍速以下とした場合において、出力する順次走査信号の各フレーム画像は必ず同一記録フレーム番号の第一フィールドおよび第二フィールドの画像データで構成されるため、図５に示したように、テレシネ変換を行って６０ｉ信号に変換した場合でも、画像の時間軸が入れ替わることが無いため、ＴＶモニター上で画像の動きが不自然になるという問題点が発生しない。
【００７７】
なお、重複したフィールドの画像データを削除した分、いずれかのフレームで代替する調整は本実施の形態で説明したタイミングに限定するものではなく、再生速度に応じて、タイミングの調整を図る。
【００７８】
なお、本発明で説明したテレシネ変換は本発明における記録再生装置内部で行ってもよく、このときは、逆変換手段１００６の後段にテレシネ変換手段を追加すればよい。また、テレシネ変換手段を内部に持ち、出力端子を２系統持つことで、１０８０／２４ｐ信号と、１０８０／６０ｉ信号を同時に出力することも可能である。また、テレシネ変換手段を外部に持った場合においても、本発明により、テレシネ変換後の映像の動きがおかしくなることがないという効果が発揮される。
【００７９】
また、本発明において同一フィールド画像を連続して出力する場合には、画面上のフリッカを防止するため、画面の垂直方向にフィルター処理を行っても良いことはいうまでもない。
【００８０】
また、本発明では、１０８０／２４ｐ信号を記録再生するとしたが、これに限らず、走査線数７５０本、有効走査線数７２０本、フレーム周波数２４Ｈｚの順次走査信号（７２０／２４ｐ信号）においても同様に適応されることはいうまでもない。
【００８１】
また、本発明においてフィールド周波数６０Ｈｚと表記したものは、フィールド周波数５９．９４Ｈｚであってもよく、またフレーム周波数２４Ｈｚと表記したものは、フレーム周波数２３．９７６Ｈｚであってもよいことはいうまでもない。
【００８２】
また、本発明において、入出力はシリアルディジタルインターフェイス信号であるとしたがシリアルインターフェイスに限らずパラレルインターフェイスであってもよいことは明らかである。
【００８３】
また、本発明では、ディジタルＶＴＲにおける一例を示したが、本発明はディジタルＶＴＲに限定せず、例えば光ディスクやハードデスク等にも適応されることはいうまでもない。
【００８４】
また、本発明の記録再生装置の構成は実施の形態に示した構成に限定するものではなく、可変速再生時やプログラム再生時に、欠落、または重複したフィールド画像に対して、削除または代替処理を行い、出力映像信号の１フレーム画像を構成する２フィールド分の画像信号を、必ず同一記録フレームの画像信号の組み合わせにするこができる構成であればよい。
【００８５】
【発明の効果】
本発明によれば、記録媒体の再生速度が＋１倍速以外の場合においても、出力順次走査信号の各フレーム画像を必ず同一時刻のフィールド画像で構成させることができるので、可変速再生時あるいはプログラム再生時にテレシネ変換後の出力画像の時間軸が逆転することを防止し、動きの不自然さを解消することが可能となった。
【図面の簡単な説明】
【図１】本発明の記録再生装置の構成を示すブロック図
【図２】本発明の実施の形態１における出力信号のタイミングチャート
【図３】本発明の実施の形態２における出力信号のタイミングチャート
【図４】本発明の実施の形態３における出力信号のタイミングチャート
【図５】本発明の実施の形態４における出力信号のタイミングチャート
【図６】従来の記録再生装置の構成を示すブロック図
【図７】変換手段における順次走査信号から飛び越し走査信号への変換方法を示す図
【図８】従来の記録再生装置における再生信号フィールドを説明する図
【図９】従来の記録再生装置における出力信号のタイミングチャート
【符号の説明】
１  選択手段
２  遅延手段
１０００  入力手段
１００１  変換手段
１００２  圧縮符号化手段
１００３  記録処理手段
１００４  再生処理手段
１００５  圧縮復号化手段
１００６  逆変換手段
１００７  出力手段
【図１】
0003733840.tif 000002
【図２】
0003733840.tif 000003
【図３】
0003733840.tif 000004
【図４】
0003733840.tif 000005
【図５】
0003733840.tif 000006
【図６】
0003733840.tif 000007
【図７】
0003733840.tif 000008
【図８】
0003733840.tif 000009
【図９】
0003733840.tif 000010